(57)【特許請求の範囲】
【請求項１】
壁および天井板によって囲まれて形成される警戒区域の防犯装置において、
警戒区域の前記壁には、通路が貫通して形成され、
警戒区域内の危険状態を検出する危険状態検出手段と、
警戒区域外に設けられ、危険状態検出手段の出力に応答して、煙を発生し、この煙を前記通路に導く発煙手段と、
前記壁に貼着され、前記通路の警戒区域に臨む開口端を覆うシートと、
先端部が先鋭であり、前記煙によって押されて前記通路を走行してシートを破断する破断片とを含むことを特徴とする警戒区域の防犯装置。
【請求項２】
壁および天井板によって囲まれて形成される警戒区域の防犯装置において、
警戒区域の前記天井には、通路が貫通して形成され、
警戒区域内の危険状態を検出する危険状態検出手段と、
警戒区域外に設けられ、危険状態検出手段の出力に応答して、煙を発生し、この煙を前記通路に導く発煙手段と、
前記天井に貼着され、前記通路の警戒区域に臨む開口端を覆うシートと、
先端部が先鋭であり、前記煙によって押されて前記通路を走行してシートを破断する破断片とを含むことを特徴とする警戒区域の防犯装置。
【請求項３】
発煙手段は、煙を、警戒区域内の視界を遮って侵入者の行動を不可能とする程度に、発生することを特徴とする請求項１または２記載の警戒区域の防犯装置。
【請求項４】
発煙手段は、催涙ガスまたは嫌臭性ガスを発生することを特徴とする請求項１〜３のうちの１つに記載の警戒区域の防犯装置。
【請求項５】
シートには、前記通路よりも小径であり、破断片の走行時、破断片３４よりも走行方向下流側の空間３７に存在する空気を警戒区域内に排出する連通孔３２が形成されることを特徴とする請求項１〜４のうちの１つに記載の警戒区域の防犯装置。
【発明の詳細な説明】
【０００１】
【発明の属する技術分野】
本発明は、たとえば銀行用金銭払出し機などが設置された警戒区域における盗難、破壊などの危険を防止する防犯装置に関する。
【０００２】
【従来の技術】
先行技術では、警戒区域に、煙を発生する発煙手段が設置され、警戒区域の窓または扉などが破壊されたり、あるいはまたその警戒区域に設置されている銀行用金銭払出し機に破壊のために大きな衝撃が作用したとき、そのような危険状態をセンサで検出し、発煙手段を動作させる。
【０００３】
このような先行技術では、発煙手段が、警戒区域内に設置されており、その発煙手段は比較的大形であるので、警戒区域内にいる人の目につきやすい。したがって盗難を図ろうとする侵入者は、盗難、破壊行為を行うに先立ち、発煙手段が動作しないように、発煙手段を損傷などするおそれがある。その結果、防犯を確実に達成することができない。
【０００４】
【発明が解決しようとする課題】
本発明の目的は、防犯動作を確実に行い、盗難、破壊などの侵入者による行為を確実に防止することができるようにした警戒区域の防犯装置を提供することである。
【０００５】
【課題を解決するための手段】
本発明は、壁および天井板によって囲まれて形成される警戒区域の防犯装置において、
警戒区域の前記壁には、通路が貫通して形成され、
警戒区域内の危険状態を検出する危険状態検出手段と、
警戒区域外に設けられ、危険状態検出手段の出力に応答して、煙を発生し、この煙を前記通路に導く発煙手段と、
前記壁に貼着され、前記通路の警戒区域に臨む開口端を覆うシートと、
先端部が先鋭であり、前記煙によって押されて前記通路を走行してシートを破断する破断片とを含むことを特徴とする警戒区域の防犯装置である。
また本発明は、壁および天井板によって囲まれて形成される警戒区域の防犯装置において、
警戒区域の前記天井には、通路が貫通して形成され、
警戒区域内の危険状態を検出する危険状態検出手段と、
警戒区域外に設けられ、危険状態検出手段の出力に応答して、煙を発生し、この煙を前記通路に導く発煙手段と、
前記天井に貼着され、前記通路の警戒区域に臨む開口端を覆うシートと、
先端部が先鋭であり、前記煙によって押されて前記通路を走行してシートを破断する破断片とを含むことを特徴とする警戒区域の防犯装置である。
【０００６】
【０００７】
本発明に従えば、危険状態検出手段によって警戒区域内の危険状態を検出する。警戒区域というのは、たとえば壁および天井板などによって囲まれて形成されていてもよく、たとえば建物の一室であり、銀行用金銭払出し機などが設置され、あるいは銀行内の予め定められた部屋であってもよい。危険状態検出手段は、警戒区域を形成する壁またはドアが破壊され、または盗難破壊行為が行われるのを防ぐべき機器、たとえば警戒区域に設置されている銀行用金銭払出し装置などに異常に大きな衝撃が作用したことを検出する。このような危険状態検出手段は、窓または扉の施錠機構が破壊されたことを検出するセンサであってもよく、または窓または扉が不所望に開かれたことを検出するセンサであってよく、あるいはまた銀行用金銭払出し機に作用する衝撃を検出する加速度センサなどであってもよい。
【０００８】
危険状態が危険状態検出手段によって検出されると、発煙手段は、煙を発生する。この発煙手段は、警戒区域の外に設けられているので、警戒区域内の人は、見ることができない。この発煙手段からの煙は、壁または天井を貫通する通路１３，２８を経て、開口端１４から、破断片で破断されたシートの破断孔３８を経て、警戒区域に導かれ、この警戒区域内に噴射される。このような通路は、その警戒区域に臨む開口端の口径が比較的小さくてよく、たとえば約０．２〜３．０ｃｍであってもよい。したがって警戒区域内の人は、このような壁または天井などで警戒区域に臨む壁または天井の貫通孔の開口端を見つけることは困難である。したがって警戒区域に、盗難または破壊などの行為をしようとする侵入者は、このような開口端に気付かない。
【０００９】
したがって危険状態が検出されたとき、警戒区域内に煙を確実に噴射することができる。これによって侵入者による盗難破壊行為を未然に防ぐことができる。
【００１０】
通路は、壁または天井に形成された貫通孔を挿通して設けられてもよく、またはその壁または天井に形成された貫通孔の警戒区域外における端部に、管路が接続されるように構成されてもよい。
【００１１】
また本発明は、発煙手段は、煙を、警戒区域内の視界を遮って侵入者の行動を不可能とする程度に、発生することを特徴とする。
【００１２】
また本発明は、発煙手段は、催涙ガスまたは嫌臭性ガスを発生することを特徴とする。
【００１３】
本発明に従えば、発煙手段は、液滴または微粒子が空気に混在する煙を、警戒区域内に噴射する。この煙によって、警戒区域内の視界が遮られ、侵入者の行動が不可能となる。これによって侵入者に、盗難破壊行為を諦めさせ、警戒区域内から撤退させることができる。このような煙による視界を遮って行動を不可能とする状態は、たとえば１０〜３０分程度持続され、たとえば２０分程度持続される。
【００１４】
発煙手段が発生する煙は、催涙ガスから成ってもよく、嫌臭性ガスから成ってもよく、本発明の用語「煙」は、このようなガスのみ、または微粒子の混入されたガスを含む概念として理解されるべきである。
【００１５】
催涙ガス、嫌臭性ガスは、警戒区域内に設置されている機器などに付着して汚損させるおそれがあるが、液滴または固体の粒子などの微粒子が混在するガスでは、そのような問題が生じることはなく、また人体に無害な物質を用いることもできる。
【００１６】
【００１７】
危険状態検出手段によって危険状態が検出されたとき、発煙手段は煙を発生し、この発生される煙によって、通路内の破断片が押されて警戒区域内に向けて走行する。この破断片の先端部は先鋭であり、したがって走行する破断片は、貫通孔の警戒区域に臨む開口端を覆っているシートを破断する。したがってこの破断されたシートの破断孔から、煙が警戒区域内に噴射される。
【００１８】
こうして通路の開口端がシートによって覆われているので、警戒区域内に進入した人によって、開口端が発見されるおそれを防ぐことができ、したがって侵入者がその開口端を栓などで閉塞して煙が警戒区域内に噴射されなくなってしまうおそれを確実に防ぐことができる。
また本発明は、シートには、前記通路よりも小径であり、破断片の走行時、破断片３４よりも走行方向下流側の空間３７に存在する空気を警戒区域内に排出する連通孔３２が形成されることを特徴とする。
本発明に従えば、破断片の走行時、連通孔３２から空気が排出されるので、破断片３４の姿勢が安定に保たれる。
【００１９】
【発明の実施の形態】
図１は、本発明の参考例の構成を簡略化して示す断面図である。建物の警戒区域である部屋１は、壁２によって仕切られ、また天井板３が設けられ、さらに窓４および開閉可能な扉５が設けられる。部屋１内には、銀行用金銭払出し機６が設置される。部屋１には壁２を介して、その警戒区域外であるもう１つの部屋７に隣接する。部屋１の床は参照符８で示される。壁２には貫通孔２８が形成され、この貫通孔２８内に管路１３が挿通される。管路１３は、たとえば直円筒状であってもよい。この管路１３の開口端１４における外径または内径の口径は、たとえば約０．２〜３．０ｃｍφであってもよく、これによって開口端１４が、部屋１内の人によって発見されるおそれがなく、部屋１内への煙の噴射が確実となる。
【００２０】
図２は、部屋１内に設置された銀行用金銭払出し機６を示す簡略化した斜視図である。営業時間中、利用者は、扉５を開いて部屋１内に入り、銀行用金銭払出し機６を操作し、利用者の銀行口座から、現金を払出す。
【００２１】
部屋１における盗難破壊行為を防ぐために、本発明に従えば、窓４および扉５の破壊または扉５に設けられた施錠機構が破壊されたことを検出するセンサ１１が設けられる。警戒区域である部屋１に隣接する部屋７には、発煙手段１２が設けられる。この発煙手段１２によって発生される煙は、管路１３を経て壁２を貫通し、その開口端１４から、部屋１内に噴射される。
【００２２】
図３は、発煙手段１２と管路１３付近の構成を示す断面図である。発煙手段１２には、発生される煙の原料となる液体１６がタンク１７に貯留される。この液体１６は、センサ１１によって危険状態が検出されるとき、ポンプ１８によって発煙部材１９の発煙室２１に供給される。発煙部材１９の発煙室２１は、加熱部材２２によって囲まれて形成される。ポンプ１８から供給される煙の原料となる液体は、加熱部材２２によって加熱されて部分的に気化され、微粒子を含む煙となって管路２４，２５を経て管路１３に導かれ、開口端１４から部屋１内に噴射される。加熱部材２２は、たとえば電気ヒータがセラミックで覆われた構成を有してもよい。
【００２３】
管路２５は、たとえば可撓性を有し、発煙手段１２の管路２４と壁２に設けられた管路１３とを接続する。管路２５の外周部には電気ヒータ２６がコイル状に巻回され、これによって輸送される煙が冷却されることはなく、発煙効果が高まる。
【００２４】
本発明の実施の他の形態では、貫通孔２８に管路２５を接続し、管路１３を省略することもできる。
【００２５】
マイクロコンピュータなどによって実現される処理回路２７は、センサ１１の出力に応答し、ポンプ１８を動作させる。処理回路２７は、加熱部材２２および電気ヒータ２６を動作させる。
【００２６】
図４は、図３に示される処理回路２７の動作を説明するためのフローチャートである。ステップａ１からステップａ２に移り、常時、処理回路２７は発熱部材２２および電気ヒータ２６に電力を与え、煙の原料となる液体１６を加熱する準備状態とされる。
【００２７】
ステップａ３においてセンサ１１が危険状態を検出すると、この異常時には、ステップａ４に移り、ポンプ１８が駆動される。これによって液体１６はポンプ１８によって発煙部材１９の発煙室２１に供給される。そのため発煙室２１からは煙が発生され、前述のように管路２４，２５，１３を経て開口端１４から警戒区域である部屋１内に噴射される。
【００２８】
図５は本発明の実施の一形態の一部の断面図である。この実施の形態は、前述の構成に類似し、対応する部分には同一の参照符を付す。警戒区域１の壁２には、貫通孔２８が形成され、その貫通孔２８には管路１３が挿通されてもよい。管路１３は直円筒状である。貫通孔２８、したがって管路１３の開口端１４は、壁２の警戒区域である部屋１に臨む表面に貼着された壁紙などのシート３１によって覆われている。このシート３１には、管路１３内に部屋１と連通するたとえばピンホールなどの管路１３よりも小径の連通孔３２が形成される。連通孔３２は、管路１３の軸線上に形成されてもよい。
【００２９】
管路１３には破断片３４が挿入される。この破断片３４は、円柱状の破断片本体３５と、その本体３５に一体的に連なる円錐状先端部３６とを含む。先端部３６は、先鋭である。したがって発煙手段１２からの煙が管路２５を経て供給されるとき、煙によって破断片３５が押されて図５（１）の右方に走行する。この破断片３４よりも図５（１）の走行方向下流側（図５（１）の右方）の空間３７に存在する空気は、連通孔３２から部屋１内に排出される。これによって破断片３４は管路１３を円滑に走行することができる。本体３５は、その走行時、管路１３の軸線と一致した軸線を有し、破断片３４の姿勢を保つのに役立つ。こうして破断片３４が煙によって押されて管路１３内を走行することによって、先端部３６は連通孔３２付近でシート３１を、図５（２）に示されるように開口端１４で破断する。こうして破断されたシート３１の破断孔３８から参照符３９によって示されるように、管路１３を経て煙が部屋１内に噴射される。
【００３０】
図５に示される実施の形態では、開口端１４がシート３１によって覆われているので、部屋１内の侵入者による開口端１４の発見が不可能になる。これによって開口端１４からの煙の噴射を確実に達成し、防犯効果が高まる。
【００３１】
煙の原料となる液体１６は、人体に対して実質的に無害なアルコールを主成分とする物質であってもよく、たとえば二価アルコール系成分であってもよく、たとえばトリプロピレングリコール、プロピレングリコール、１−３ブタンジオールおよび水を適宜に混在させた組成を有する。加熱部材２２はその表面の温度がたとえば約２００℃であってもよい。
【００３２】
本発明の実施の他の形態では、部屋１内に設置された銀行用金銭払出し機に加速度センサ４１が設けられ、この銀行用金銭払出し機６に、侵入者による盗難破壊行為による異常に大きな衝撃が作用したとき、その衝撃加速度を検出する加速度センサによって実現されてもよい。このセンサ４１は、センサ１１に代えて用いられる。
【００３３】
本発明の実施のさらに他の形態では、センサ１１，４１がいずれも用いられ、これらのセンサ１１，４１によって危険な状態、すなわち窓４および扉５の破壊および銀行用金銭払出し機６に作用する異常な衝撃を検出したとき、発煙動作が行われるように構成されてもよい。センサ１１，４１のほかに、さらにそのほかの危険状態を検出する構成を有するセンサが用いられてもよい。また本発明の警戒区域は、銀行用金銭払出し機が設置される区域でなくてもよく、たとえば宝石店などで宝石が収容される宝石ケースが設置される区域であってもよい。また本発明の発煙方法は一例示であって、他の発煙方法で発煙させてもよい。
【００３４】
【発明の効果】
本発明によれば、危険状態が検出手段によって検出されたとき、発煙手段からの煙が通路を経て警戒区域内に噴射され、これによって侵入者による盗難破壊行為などを防ぐことができる。特に煙は、比較的小径の通路を経て警戒区域内に導かれ、発煙手段は警戒区域の外に設けられるので、侵入者によって、そのような発煙手段が発見されて発煙手段が破壊されるなどの恐れはなく、これによって危険状態の発生時、警戒区域内に煙を確実に噴射することができるようになる。こうして警戒区域の防犯が確実に達成される。
【図面の簡単な説明】
【図１】本発明の参考例の構成を簡略化して示す断面図である。
【図２】部屋１内に設置された銀行用金銭払出し機６を示す簡略化した斜視図である。
【図３】発煙手段１２と管路１３付近の構成を示す断面図である。
【図４】図３に示される処理回路２７の動作を説明するためのフローチャートである。
【図５】本発明の実施の一形態の一部の断面図である。
【符号の説明】
１  部屋
２  壁
３  天井板
４  窓
５  扉
６  銀行用金銭払出し機
７  部屋
１１，４１  センサ
１２  発煙手段
１３，２４，２５  管路
１４  開口端
１６  液体
１７  タンク
１８  ポンプ
１９  発煙部材
２１  発煙室
２２  加熱部材
２６  電気ヒータ
２７  処理回路
２８  貫通孔
３１  シート
３２  連通孔
３４  破断片
３５  破断片本体
３８  破断孔
【図１】
0003619498.tif 000002
【図２】
0003619498.tif 000003
【図３】
0003619498.tif 000004
【図４】
0003619498.tif 000005
【図５】
0003619498.tif 000006